(57)【要約】      （修正有）【課題】使用後、立体的な箱体をほぼ１アクションで簡単に解体することができ、薄く折り畳んでコンパクトに廃棄することができるラップラウンド型包装箱を提供する。【解決手段】周方向に連接されて筒体の４つの面となる前板１８、底板２０、後板２２及び天板２４を備える。前板１８の２つの側端辺に折罫線を介して各々延設された前フラップ３６（１）、３６（２）を備える。底板２０の２つの側端辺に各々延設された底フラップ４０（１）、４０（２）を備える。後板２２の２つの側端辺に各々延設された後フラップ４４（１）、４４（２）を備える。天板２４の２つの側端辺に開封用破断線５０（１）、５０（２）を介して各々延設された天フラップ４８（１）、４８（２）を備える。底フラップ４０（１）、４０（２）は、内側を幅方向に横切る解体用破断線５２（１）、５２（２）によって、底板２０に連続する本体領域４０ａ（１）、４０ａ（２）と、底板２０に連続しない分離領域４０ｂ（１）、４０ｂ（２）とに区切られる。【選択図】図２
0003234174.tif 000002
【実用新案登録請求の範囲】
【請求項１】
四角形の筒体の両端が側壁部で各々閉鎖されたラップラウンド型包装箱であって、
周方向に連接されて前記筒体の４つの面となる前板、底板、後板及び天板と、前記前板の２つの側端辺に折罫線を介して各々延設された一対の前フラップと、前記底板の２つの側端辺に折罫線を介して各々延設された一対の底フラップと、前記後板の２つの側端辺に折罫線を介して各々延設された一対の後フラップと、前記天板の２つの側端辺に開封用破断線を介して各々延設された一対の天フラップとを備え、
前記前フラップ及び前記後フラップの延出長さは、前記天板及び前記底板の連接方向の長さの半分以下に設定され、前記底フラップ及び前記天フラップの延出長さの合計は、前記前板及び後板の連接方向の長さ以下に設定され、前記底フラップは、内側を幅方向に横切る解体用破断線によって、前記底板に連続する本体領域と、前記底板に連続しない分離領域とに区切られており、
組み立て状態で、前記前板、底板、後板及び天板によって立体的な前記筒体が形成され、前記前フラップ及び後フラップが倒れた外面に前記底フラップ及び前記天フラップが倒れて重なり、前記前記天フラップが前記前フラップ及び前記後フラップに糊付けされ、前記底フラップの前記分離領域が前記前フラップ及び前記後フラップに糊付けされることによって、前記側壁部が形成されており、
前記開封用破断線を破断させることを含む開封作業の後、前記天板の全領域が開放された状態で、前記前板及び前記後板の、前記側壁部に近い端部同士を近づける解体作業が行われると、前記底板が前記連接方向の中央部で折れ曲がり、前記解体用破断線が自動的に破断して前記底フラップが前記本体領域と前記切離領域とに分離し、前記天フラップ、前記本体領域及び前記切離領域が幅方向の中央部で各々折れ曲がり、全体が平坦な折り畳み状態になることを特徴とするラップラウンド型包装箱。
【請求項２】
前記底板の、前記解体が行われた時に折れ曲がる前記中央部に、当該折れ曲がる動作を円滑にするための解体用折罫線が設けられている請求項１記載のラップラウンド型包装箱。
【請求項３】
前記底フラップ及び前記天フラップの、前記解体が行われた時に折れ曲がる前記中央部に、当該折れ曲がる動作を円滑にするための解体用折罫線が設けられている請求項１又は２記載のラップラウンド型包装箱。
【請求項４】
前記解体用破断線は、前記底フラップを円弧状の軌跡で横切るように設けられている請求項１乃至３のいずれか２記載のラップラウンド型包装箱。
【請求項５】
一枚の箱体形成片から成り、前記箱体形成片は、前記前板、底板、後板及び天板が順に連接され、端に位置する前記天板の連接方向の端辺に差し込み片が延設されている請求項１乃至４のいずれか記載のラップラウンド型包装箱。
【考案の詳細な説明】
【技術分野】
【０００１】
本考案は、四角形の筒体の両端が２つの側壁部で閉鎖されたラップラウンド型包装箱に関する。
【背景技術】
【０００２】
例えば、医薬品用の包装箱は、病院や調剤薬局等の医療機関で使用された後、大量に廃棄されることになるので、箱体を薄く折り畳んでコンパクトに廃棄できることが求められる。
【０００３】
従来、例えば特許文献１に開示されているように、底板及、天板及び２つの側板（前板、後板）で四角形の筒体を形成し、各板の側端辺に各々延設したフラップを重ねて糊付けして成る側壁部で筒体の両端を閉鎖したラップラウンド型の包装箱があった。
【０００４】
この包装箱は、天板の２つの側端辺に開封用破断線が設けられ、開封用破断線を破断させて開封すると、天板を開放させることができる。そして、破棄する時に箱体を解体しやすくするため、側壁部のほぼ中央にツマミ部（２２）を設け、ツマミ部（２２）より上方に向かって破断線（２１）を設け、ツマミ部（２２）の下方に、破断線（１８ａ）で囲まれた切り裂き開口部（１９ａ）を設けている。したがって、解体する時は、まず、ツマミ部（２２）を引っ張って破断線（１８ａ）を破断させ、切り裂き開口部（１９ａ）を倒し、側壁部の底板に近い部分を分割する。その後、破断線（２１）を破断させて、側壁部の天板に近い部分を分割する。これで、箱体を平坦に折り畳むことが可能になり、コンパクトに廃棄することができる。
【先行技術文献】
【特許文献】
【０００５】
【特許文献１】実開昭６２−１９４５２９号公報
【考案の概要】
【考案が解決しようとする課題】
【０００６】
特許文献１の包装箱は、解体動作が１つの側壁部に対して２アクションになり、２つの側壁部を別々に解体しなければならないので、解体するのに手間が掛かる。
【０００７】
本考案は、上記背景技術に鑑みて成されたものであり、使用後、立体的な箱体をほぼ１アクションで簡単に解体することができ、薄く折り畳んでコンパクトに廃棄することができるラップラウンド型包装箱を提供することを目的とする。
【課題を解決するための手段】
【０００８】
本考案は、四角形の筒体の両端が側壁部で各々閉鎖されたラップラウンド型包装箱であって、
周方向に連接されて前記筒体の４つの面となる前板、底板、後板及び天板と、前記前板の２つの側端辺に折罫線を介して各々延設された一対の前フラップと、前記底板の２つの側端辺に折罫線を介して各々延設された一対の底フラップと、前記後板の２つの側端辺に折罫線を介して各々延設された一対の後フラップと、前記天板の２つの側端辺に開封用破断線を介して各々延設された一対の天フラップとを備え、
前記前フラップ及び前記後フラップの延出長さは、前記天板及び前記底板の連接方向の長さの半分以下に設定され、前記底フラップ及び前記天フラップの延出長さの合計は、前記前板及び後板の連接方向の長さ以下に設定され、前記底フラップは、内側を幅方向に横切る解体用破断線によって、前記底板に連続する本体領域と、前記底板に連続しない分離領域とに区切られており、
組み立て状態で、前記前板、底板、後板及び天板によって立体的な前記筒体が形成され、前記前フラップ及び後フラップが倒れた外面に前記底フラップ及び前記天フラップが倒れて重なり、前記前記天フラップが前記前フラップ及び前記後フラップに糊付けされ、前記底フラップの前記分離領域が前記前フラップ及び前記後フラップに糊付けされることによって、前記側壁部が形成されており、
前記開封用破断線を破断させることを含む開封作業が行われた後、前記天板の全領域が開放された状態で、前記前板及び前記後板の、前記側壁部に近い端部同士を近づける解体作業が行われると、前記底板が前記連接方向の中央部で折れ曲がり、前記解体用破断線が自動的に破断して前記底フラップが前記本体領域と前記切離領域とに分離し、前記天フラップ、前記本体領域及び前記切離領域が幅方向の中央部で各々折れ曲がり、全体が平坦な折り畳み状態になるラップラウンド型包装箱である。
【０００９】
前記底板の、前記解体が行われた時に折れ曲がる前記中央部に、当該折れ曲がる動作を円滑にするための解体用折罫線が設けることができる。また、前記底フラップ及び前記天フラップの、前記解体が行われた時に折れ曲がる前記中央部に、当該折れ曲がる動作を円滑にするための解体用折罫線が設けることができる。
【００１０】
前記解体用破断線は、前記底フラップを円弧状の軌跡で横切るように設けられていることが好ましい。また、一枚の箱体形成片から成り、前記箱体形成片は、前記前板、底板、後板及び天板が順に連接され、端に位置する前記天板の連接方向の端辺に差し込み片が延設されている構成にしてもよい。
【考案の効果】
【００１１】
本考案のラップラウンド型包装箱は、独特な構造の解体用破断線を備えているので、廃棄する時、２つの側壁部を各々１アクションで簡単に解体することができ、両手を使えば、２つの側壁部をほぼ同時に解体することができる。また、所定の解体用折罫線を付加することによって、解体の動作をより円滑にすることができる。したがって、大量の箱体を廃棄する時でも、個々の箱体を効率よく解体し、薄く折り畳んでコンパクトに廃棄することができる。
【００１２】
また、組み立て状態で、解体用破断線が箱体の稜線部分や底板の内側に配置されないので、解体用破断線を設けたことによる箱体の強度の低下は最小限に抑えられる。
【図面の簡単な説明】
【００１３】
【図１】本考案のラップラウンド型包装箱の一実施形態の組み立て状態を示す斜視図（ａ）、別の角度から見た斜視図（ｂ）である。
【図２】この実施形態のラップラウンド型包装箱を展開した箱体形成片を表面側から見た平面図である。
【図３】この実施形態のラップラウンド型包装箱が開封され天板が開放された状態を示す斜視図（ａ）、別の角度から見た斜視図（ｂ）である。
【図４】この実施形態のラップラウンド型包装箱の解体した後の折り畳み状態を前板の側から見た図（ａ）、後板の側から見た図（ｂ）である。
【考案を実施するための形態】
【００１４】
以下、本考案のラップラウンド型包装箱の一実施形態について、図面に基づいて説明する。この実施形態のラップラウンド型包装箱１０は、図１（ａ）、（ｂ）に示すように、横向きになった筒体１２の両端を、２つの側壁部１４(1)，１４(2)で各々閉鎖した直方体形状の箱体である。
【００１５】
ラップラウンド型包装箱１０は、厚紙や段ボール紙等で成る一枚の箱体形成片１６を組み立てることによって形成される。箱体形成片１６は、図２（ａ）に示すように、順に一列に連接された前板１８、底板２０、後板２２及び天板２４を有し、折罫線２６，２８，３０で各々区切られている。前板１８、底板２０、後板２２及び天板２４は、連接している幅方向の長さが同じで、連接方向の長さは、前板１８及び後板２２が少し長くて互いにほぼ等しく、底板２０及び天板２４が少し短くて互いにほぼ等しい。そして、天板２４の連接方向の端辺に台形状の差し込み片３２が短く延設され、折罫線３４で天板２４と区切られている。
【００１６】
前板１８，底板２０、後板２２及び天板２４の、図２における右側の端辺には、側壁部１４(1)を形成するためのフラップが各々延設され、左側の端辺には、側壁部１４(2)を形成するためのフラップが各々延設されている。
【００１７】
前板１８の右側の端辺には、台形状の前フラップ３６(1)が延設され、折罫線３８(1)で前板１８と区切られている。同様に、左側の端辺には、台形状の前フラップ３６(2)が延設され、折罫線３８(2)で前板１８と区切られている。前フラップ３６(1)と３６(2)の延出長さはほぼ同じで、底板２０及び天板２４の連接方向長さの1/2よりも僅かに短い。
【００１８】
底板２０の右側の端辺には、台形状の底フラップ４０（1）が延設され、折罫線４２(1)で底板２０と区切られている。同様に、左側の端辺には、台形状の底フラップ４０(2)が延設され、折罫線４２(2)で底板２０と区切られている。底フラップ４０(1)と４０(2)の延出長さはほぼ同じで、前板１８及び後板２２の連接方向長さの1/2よりも僅かに短い。
【００１９】
後板２２の右側の端辺には、台形状の後フラップ４４(1)が延設され、折罫線４６(1)で後板２２と区切られている。同様に、左側の端辺には、台形状の後フラップ４４(2)が延設され、折罫線４６(2)で後板２２と区切られている。後フラップ４４(1)と４４(2)の延出長さはほぼ同じで、底板２０及び天板２４の連接方向長さの1/2よりも僅かに短い。
【００２０】
天板２４の右側の端辺には、台形状の天フラップ４８（1）が延設され、開封用破断線５０(1)で天板２４と区切られている。同様に、左側の端辺には、台形状の天フラップ４８(2)が延設され、開封用破断線５０(2)で天板２４と区切られている。天フラップ４８(1)と４８(2)の延出長さはほぼ同じで、前板１８及び後板２２の連接方向長さの1/2よりも僅かに短い。
【００２１】
底フラップ４０(1)は、内側を円弧状の軌跡で幅方向に横切る解体用破断線５２(1)によって、底板２０に連続する本体領域４０ａ(1)と、底板２０に連続しない分離領域４０ｂ(1)とに区切られている。同様に、底フラップ４０(2)は、内側を円弧状の軌跡で幅方向に横切る解体用破断線５２(2)によって、底板２０に連続する本体領域４０ａ(2)と、底板２０に連続しない分離領域４０ｂ(2)とに区切られている。
【００２２】
その他、底板２０の内側には、中央部を折罫線２６，２８と略平行に横切る解体用折罫線５４が設けられている。また、底フラップ４０(1)の内側の幅方向の中央部の、解体用破断線５４の一端を延長した位置に、解体用折罫線５６(1)が設けられ、底フラップ４０(2)の内側の幅方向の中央部の、解体用破断線５４の他端を延長した位置に、解体用折罫線５６(2)が設けられている。さらに、天フラップ４０(1)の内側の幅方向の中央部に、開封用破断線５０(1)と交差する解体用折罫線５８(1)が設けられ、天フラップ４０(2)の内側の幅方向の中央部に、開封用破断線５０(2)と交差する解体用折罫線５８(2)が設けられている。また、前板１８の連接方向の端辺の中央部には、半円形の切り欠き６０が設けられている。
【００２３】
次に、ラップラウンド型包装箱１０の組み立て方法の一例を説明する。ここでは、図２に示す箱体形成片１８の各折罫線及び破断線の折り曲げ方について、表面が凸になる折り方を正折り、裏面が凸になる折り方を逆折りと称する。
【００２４】
まず、箱体形成片１８を、表面側を下にして作業台に置き、底板２０の裏面に収容物を載置する。その後、折罫線２６，２８，３０，３４を各々９０度に正折りして前板１８，底板２０、後板２２及び天板２４で収容物を包み、差し込み片３２を前板１８の内面に重ねて四角形の筒体１２を形成する。
【００２５】
次に、筒体１２の一端を閉鎖する側壁部１４(1)を形成するため、前フラップ３６(1)を折罫線３８(1)で９０度に正折りし、後フラップ４４（1）を折罫線４６(1)で９０度に正折りする。その後、底フラップ４０(1)の分離領域４４ｂ(1)の裏面の、解体用破断線５６(1)を間に挟む両側の２箇所に糊を塗布した後、底フラップ４０(1)を折罫線４２(1)で９０度に正折りし、分離領域４４ｂ(1)を前フラップ３６(1)及び後フラップ４４(1)の下半分の外面に重ねて糊付けする。
【００２６】
なお、折罫線４２(1)の近くに解体用破断線５２(1)があるため、底フラップ４０(1)を折罫線４２(1)で倒した時、解体用破断線５２(1)も一緒に折れて底フラップ４０(1)が途中で曲がってしまう恐れがある。しかし、解体用破断線５２(1)は、折れ難いように直線ではなく円弧状に形成されているので、折罫線４２(1)とともに折れることがない。これについては、解体用破断線５２(2)も同様である。
【００２７】
さらに、天フラップ４８(1)の裏面の、解体用破断線５８(1)を間に挟む両側の２箇所に糊を塗布した後、天フラップ４８(1)を開封用破断線５０(1)で９０度に正折りし、天フラップ４８(1)を前フラップ３６(1)及び後フラップ４４(1)の上半分の外面に重ねて糊付けする。これで、側壁部１４(1)が形成され、筒体１２の一端が閉鎖される。
【００２８】
次に、筒体１２の他端を閉鎖する側壁部１４(2)を形成するため、前フラップ３６(2)を折罫線３８(2)で９０度に正折りし、後フラップ４４（2）を折罫線４６(2)で９０度に正折りする。その後、底フラップ４０(2)の分離領域４４ｂ(2)の裏面の、解体用破断線５６(2)を間に挟む両側２箇所に糊を塗布した後、底フラップ４０(2)を折罫線４２(2)で９０度に正折りし、分離領域４４ｂ(2)を前フラップ３６(2)及び後フラップ４４(2)の下半分の外面に重ねて糊付けする。
【００２９】
さらに、天フラップ４８(2)の裏面の、解体用破断線５８(2)を間に挟む両側の２箇所に糊を塗布した後、天フラップ４８(2)を開封用破断線５０(2)で９０度に正折りし、天フラップ４８(2)を前フラップ３６(2)及び後フラップ４４(2)の上半分の外面に重ねて糊付けする。これで、側壁部１４(2)が形成され、筒体１２の他端が閉鎖される。これで組み立て作業が終わり、図１（ａ）、（ｂ）に示す組み立て状態のラップラウンド型包装箱１０が形成される。
【００３０】
組み立て状態のラップラウンド型包装箱１０は、解体用破断線５２(1)，５２(2)が箱体の稜線部分や底板２０の内側に配置されないので、解体用破断線５２(1)，５２(2)を設けたことによる箱体の強度の低下は最小限に抑えられる。なお、開封用破断線５０(1)，５０(2)は箱体の稜線部分に配置されるが、底側ではなく蓋側の稜線部分なので、大きな問題にはならない。
【００３１】
ランプラウンド型包装箱１０を開封する時は、前板１８の端部に設けた切り欠き６０から見えている差し込み片３２及び天板２４の境界部分に指を掛け、これを引き上げて開封用破断線５０(1)，５０(2)を破断させる。開封用破断線５０(1)，５０(2)が破断すると、天板２４が側壁部１４(1)，１４(2)から切り離されるので、図３（ａ）、（ｂ）に示すように、天板２４の大きく開くことができ、開放された部分から中の収容物を取り出すことができる。再封する時は、天板２４を倒して開放した部分を塞ぎ、差し込み片３２を前板１８の内面側に差し込んで係止させる。これで、天板２４が閉じた状態に保持される。
【００３２】
ラップラウンド型包装箱１０を使用した後、廃棄する時は、立体的な箱体を解体して平坦な折り畳み状態にする。まず、図３（ａ）、（ｂ）に示すように天板２４を開いた状態にして、前板１８及び後板２２の、側壁部１４(1)，１４(2)に近い端部同士を近づける。例えば、片方の手で筒体１２の、側壁部１４(1)に近い端部を掴み、折罫線３８(1)と折罫線４６(1)とを近づけると同時に、反対側の手で筒体１２の、側壁部１４(2)に近い端部を掴み、折罫線３８(2)と折罫線４６(2)とを近づける。すると、底板２０が連接方向の中央部の解体用折罫線５４で折れ曲がり、これに伴って解体用破断線５２(1)，５２(2)が自動的に破断し、底フラップ４０(1)，４０(2)が本体領域４０ａ(1)，４０ａ(2)と分離領域４０ｂ(1)，４０ｂ(2)とに切り離される。そして、本体領域４０ａ(1)，４０ａ(2)が解体用折罫線５６(1)，５６(2)で折れ曲がり、底板２０の側方に配置される。また、分離領域４０b(1)，４０ｂ(2)が解体用破断線５６(1)，５６(2)で折れ曲がり、天フラップ４８(1)，４８(2)が解体用破断線５８(1)，５８(2)で折れ曲がり、前フラップ３６(1)，３６(2)及び後フラップ４４(1)，４４(2)と重なって、前板１８及び後板２２の側方に配置される。これで、ラップラウンド型包装箱１０は、図４（ａ）、（ｂ）に示す平坦な折り畳み状態になる。
【００３３】
以上説明したように、ラップラウンド型包装箱１０は、独特な構造の解体用破断線５２(1)，５２(2)を備えているので、廃棄する時、側壁部１４(1)，１４(2)を各々１アクションで簡単に解体することができ、両手を使えば、２つの側壁部１４(1)，１４(2)をほぼ同時に解体することができる。また、解体用折罫線５４，５６(1)，５６(2)，５８(1)，５８(2)が付加されているので、非常に円滑に解体の動作が行われる。したがって、大量の箱体を廃棄する時でも、個々の箱体を効率よく解体し、薄く折り畳んでコンパクトに廃棄することができる。さらに、組み立て状態で、解体用破断線５２(1)，５２(2)が箱体の稜線部分や底板２０の内側に配置されないので、解体用破断線５２(1)，５２(2)を設けたことによる箱体の強度の低下は最小限に抑えられる。
【００３４】
なお、本考案のラップラウンド型包装箱は、上記実施形態に限定されるものではない。例えば、ラップラウンド型包装箱１０は、底フラップ４０(1)及び天フラップ４８(1)に解体用折罫線５６(1)，５８(1)を設け、側壁部１４(1)が折り畳まれる動作を補助しているが、解体用折罫線５６(1)，５８(1)は必要に応じて省くことができる。ラップラウンド型包装箱１０の場合、側壁部１４(1)は、前フラップ３６(1)の延出方向の端辺と後フラップ４４(1）の延出方向の端辺とが僅かな隙間を空けて対向し、この隙間の部分は、基材が重ならずに薄肉になる。つまり、この隙間の部分が自然に折罫線として機能するので、多くの場合、解体用折罫線５６(1)，５８(1)は省くことができる。しかし、前フラップ３６(1)の端辺と後フラップ４４(1）の端辺とが隙間を広くする場合や、基材が折れにくい素材（例えば段ボール紙等）である場合等は、側壁部１４(1)がスムーズに折り畳まれるように、解体用折罫線５６(1)，５８(1)を設けることが好ましい。底フラップ４０(2)の解体用折罫線５６(2)及び天フラップ４８(2)の解体用折罫線５８(2)についても、解体用折罫線５６(1)、５８(1)と同様に、必要に応じて省くことができる。
【００３５】
ラップラウンド型包装箱１０は、底板２０に解体用折罫線５４を設け、底板２０が折り畳まれる動作を補助しているが、解体用折罫線５４は、必要に応じて省くことができる。しかし、基材が折れにくい素材（例えば段ボール紙等）である場合等は、底板２０がスムーズに折り畳まれるように、解体用折罫線５４を設けることが好ましい。
【００３６】
上記の天フラップ４８(1)と底フラップ４０(1)の延出長さは、互いに同じ長さに設定してある。しかし、天フラップと底フラップの延出長さは、各延出長さの合計が前板及び後板の連接方向の長さ以下であればよく、互いに異なる長さに設定してもよい。
【００３７】
ラップラウンド型包装箱１０は、再封機能を付加するため、天板２４の端辺に差し込み片３２を設けているが、再封する部分の構造は、上述した解体の動作が可能な範囲で自由に変更することができる。また、再封機能が不要であれば、例えば、差し込み片３２を、前板１８に糊付けされる糊付け片３２とし、折罫線３４を、開封時に前板１８を糊付け片３２から切り離すための補助的な開封用破断線３４に変更することができる。このように変更しても、開封によって天板の全領域を開放することができ、上述した解体の動作を支障なく行うことができる。
【００３８】
本考案のラップラウンド型包装箱の収容物は、医薬品に限定されず、医薬品以外の様々な物品を包装対象にできる。箱体の大きさ（高さ、幅、奥行き）は、収容物の大きさに合わせて適宜変更することができる。
【符号の説明】
【００３９】
１０  ラップラウンド型包装箱
１２  筒体
１４(1)，１４(2)  側壁部
１６  箱体形成片
１８  前板
２０  底板
２２  後板
２４  天板
３２  差し込み片
３６(1)，３６(2)  前フラップ
４０(1)，４０(2)  底フラップ
４０ａ(1)，４０ａ(2)  本体領域
４０ｂ(1)，４０ｂ(2)  分離領域
４４(1)，４４(2)  後フラップ
４８(1)，４８(2)  天フラップ
５０(1)，５０(2)  開封用破断線
５２(1)，５２(2)  解体用破断線
５４，５６(1)，５６(2)，５８(1)，５８(2)  解体用折罫線
【図１】
0003234174.tif 000003
【図２】
0003234174.tif 000004
【図３】
0003234174.tif 000005
【図４】
0003234174.tif 000006